(57)【要約】【課題】異常と判断したもしく演算部により判断された場合でも、測定者に専門的知識がない場合、それらのデータ等を医師等の専門家が判断が必要があり、それらのデータ等を正確に判断し誤診を防ぐためにはそれらのデータが正確に医師等の専門家に譲渡する必要があった。【解決手段】本発明は、少なくとも検体中の被測定物量に応じた電気信号を測定する電気計測部とそのデータを記録媒体に記録する記録装置を有する医療機器を、被検査者に使用することにより得られた被検査者のデータを記録した記録媒体を通じて、専門的な判定が行える管理者にそのデータを譲渡し、そのデータにより専門的な判定を行うものである。【選択図】　図１
2004097675.tif 000002
【特許請求の範囲】
【請求項１】
少なくとも検体中の被測定物量に応じた電気信号を測定する電気計測部とそのデータを記録媒体に記録する記録装置を有する医療機器を、被検査者に使用することにより得られた被検査者のデータを記録した記録媒体を通じて、専門的な判定が行える管理者にそのデータを譲渡し、そのデータにより専門的な判定を行う医療システム。
【請求項２】
上記医療機器に表示部と、正常値と比較する演算部を有し、被検査者のデータが正常値とおよそ異なる場合、被検査者のデータが正常値とおよそ異なることと、さらに被検査者のデータを記録した記録媒体を専門的な判定が行える管理者に譲渡することを、演算部が表示部に表示させる請求項１記載の医療システム。
【請求項３】
上記医療機器を専門的な判定が行える管理者のいる施設以外で使用することを特徴とする請求項１または２記載の医療システム。
【請求項４】
上記医療機器を被検査者自らがを使用することで、自らのデータを得ることを特徴とする請求項１から３記載いずれかにの医療システム。
【請求項５】
上記医療機器が携帯可能であることを特徴とする請求項１から４いずれかに記載の医療システム。
【請求項６】
上記被検査者のデータを記録した記録媒体を通信可能な機器に読み込ませて、通信により専門的な判定が行える管理者に譲渡することを特徴とする請求項１から５いずれかに記載の医療システム。
【請求項７】
上記記録媒体に被検査者のデータとともにその計測日時も記録できることを特徴とする請求項１から６いずれかに記載の医療システム。
【請求項８】
上記記録媒体に計測日時ごとの被検査者のデータが蓄積できることを特徴とする請求項７記載の医療システム。
【請求項９】
上記記録媒体に被検査者ごとのデータが蓄積できることを特徴とする請求項１から８いずれかに記載の医療システム。
【請求項１０】
上記記録媒体の被検査者ごとのデータが被検査者ごとに設定されたパスワードによりアクセスが制限されることを特徴とする請求項１から９いずれかに記載の医療システム。
【請求項１１】
上記記録媒体がメモリカードであることを特徴とする請求項１から１０いずれかに記載の医療システム。
【発明の詳細な説明】
【０００１】
【発明の属する技術分野】
本発明は、医療従事者だけでなく、一般の人が医療施設内や、自宅、外出先など医療施設外で日常の体調測定を簡易的に行うことができ、そのデータを記録媒体を通じて、医師等の専門家が測定結果に応じて判定する医療システムに関する。
【０００２】
【従来の技術】
従来、少なくとも検体中の被測定物量に応じた電気信号を測定する電気計測部を有する医療器具があった。例えば体温計などがある。また、そのデータを正常値と比較することによって、異常を表示するものもあった。
【０００３】
【発明が解決しようとする課題】
しかしながら、データは、測定者が記録しなければならなかった。また、時系列のデータ場合はデータを整理する必要があった。また、データを正常値と比較することによって、異常と判断したもしく演算部により判断された場合でも、測定者に専門的知識がない場合、それらのデータ等を医師等の専門家が判断が必要があり、それらのデータ等を正確に判断し誤診を防ぐためにはそれらのデータが正確に医師等の専門家に譲渡する必要があった。
【０００４】
【課題を解決するための手段】
本発明はこれらの課題を解決するものであり、上記の課題を解決するための医療システムは、少なくとも検体中の被測定物量に応じた電気信号を測定する電気計測部とそのデータを記録媒体に記録する記録装置を有する医療機器を、被検査者に使用することにより得られた被検査者のデータを記録した記録媒体を通じて、専門的な判定が行える管理者にそのデータを譲渡し、そのデータにより専門的な判定を行うものである。
【０００５】
【発明の実施の形態】
本発明はこれらの課題を解決するものであり、上記の課題を解決するための医療システムは、少なくとも検体中の被測定物量に応じた電気信号を測定する電気計測部とそのデータを記録媒体に記録する記録装置を有する医療機器を、被検査者に使用することにより得られた被検査者のデータを記録した記録媒体を通じて、専門的な判定が行える管理者にそのデータを譲渡し、そのデータにより専門的な判定を行うものである。
【０００６】
このシステムにすると、測定者が被検査者のデータ等を測定しそれを医師等の専門家に判断してもらうのに、測定者自らがそのデータを記録することがないので、記録ミスすることなくそのデータを医師等の専門家に譲渡することができ、それ故、それらのデータ等を正確に判断し被検査者の誤診を防ぐことができる。
【０００７】
また、上記の課題を解決するための医療システムは、上記医療機器に表示部と、正常値と比較する演算部を有し、被検査者のデータが正常値とおよそ異なる場合、被検査者のデータが正常値とおよそ異なることと、被検査者のデータを記録した記録媒体を専門的な判定が行える管理者に譲渡することを、演算部が表示部に表示させることを特徴とする。
【０００８】
このシステムにすると、測定者は被検査者のデータが正常値とは異なることを測定直後に知ることができ、さらにそのデータを記録した記録媒体を専門的な判定が行える管理者に譲渡することを医療機器より指示されるので、専門的な判定が行える管理者は正常値とは異なる被検査者のデータを早く、しかも正確に入手できるので、被検査者を遅れることなく正しくに診断できる。
【０００９】
また、上記の課題を解決するための医療システムは、上記医療機器を専門的な判定が行える管理者のいる施設以外で使用することを特徴とする。
【００１０】
このシステムにすると、自宅や旅行など、どこでも被検査者のデータを測定できる。
【００１１】
また、上記の課題を解決するための医療システムは、上記医療機器を被検査者自らがを使用することで、自らのデータを得ることを特徴とする。
【００１２】
このシステムにすると、常に測定者の付き添いは必要とせず、いつでも、どこでも被検査者のデータを測定できる。
【００１３】
また、上記の課題を解決するための医療システムは、上記医療機器が携帯可能であることを特徴とする。
【００１４】
このシステムにすると、移動中の車内等いつでも、どこでも被検査者のデータを測定できる。
【００１５】
また、上記の課題を解決するための医療システムは、上記被検査者のデータを記録した記録媒体を通信可能な機器に読み込ませて、通信により専門的な判定が行える管理者に譲渡することを特徴とする。
【００１６】
このシステムにすると、管理者のいる施設以外で被検査者のデータを測定した場合、記録媒体と通信機器を通じて、素早く専門的な判定が行える管理者に譲渡でき、被検査者を遅れることなく正しくに診断できる。
【００１７】
また、上記の課題を解決するための医療システムは、上記記録媒体に被検査者のデータとともにその計測日時も記録できることを特徴とする。
【００１８】
また、上記の課題を解決するための医療システムは、上記記録媒体に計測日時ごとの被検査者のデータが蓄積できることを特徴とする。このシステムにすると、被検査者のデータを時系列に記録でき、記録媒体を通じて、専門的な判定が行える管理者に譲渡されたとき、いつ正常値とおよそ異なるデータが出たかを把握することで、被検査者をより正しくに診断できる。
【００１９】
また、上記の課題を解決するための医療システムは、上記記録媒体の被検査者ごとのデータが被検査者ごとに設定されたパスワードによりアクセスが制限されることを特徴とする。
【００２０】
このシステムにすると、被検査者ごとにデータを管理できるとともに、被検査者のデータを保護することで、被検査者のプライバシーを守ることができる。
【００２１】
また、上記の課題を解決するための医療システムは、上記記録媒体がメモリカードであることを特徴とする。
【００２２】
このシステムにすると、被検査者のデータを安全確実かつ大量に蓄積でき、いかも、小型軽量で携帯できる。そのため専門的な判定が行える管理者に譲渡でき、被検査者をより正しくに診断できる。
【００２３】
【実施例】
本発明は、少なくとも検体中の被測定物量に応じた電気信号を測定する電気計測部とそのデータを記録媒体に記録する記録装置を有する医療機器を、被検査者に使用することにより得られた被検査者のデータを記録した記録媒体を通じて、専門的な判定が行える管理者にそのデータを譲渡し、そのデータにより専門的な判定を行う医療システムである。
【００２４】
このシステムにすると、測定者が被検査者のデータ等を測定しそれを医師等の専門家に判断してもらうのに、測定者自らがそのデータを記録することがないので、記録ミスすることなくそのデータを医師等の専門家に譲渡することができ、それ故、それらのデータ等を正確に判断し被検査者の誤診を防ぐことができる。
【００２５】
なお、本発明に使用される、少なくとも検体中の被測定物量に応じた電気信号を測定する電気計測部において、その信号の発生方法およびその測定方法については特に限定はなく、公知の方法が利用可能である。信号の発生方法としては、好ましくは特異的な反応を利用する測定方法であり、例えば抗原抗体反応がある。
【００２６】
また、測定方法としては、その反応によって電導度の変化が生じる場合は、電導率計、リアクタンス、コンダクタンスが変化する場合は、ＬＣＲメータ、反応によって電位差を生じる場合は電位差計、反応が電子移動を伴う電気化学的な反応の場合にはポテンシヨスタット、クーロンメーター、電流計、反応が発光を伴う場合には発光光度計を、呈色の場合には、色差計、吸光度計、反射率計等を利用することができる。またこれらの変化を測定する電極としては、耐食性に優れた貴金属電極がよく、特に金が優れている。また、上記反応に対するの選択性を付与するために、これらの貴金属表面に反応選択性膜を設けるてもよい。具体的にはポリピロール等の導電性変化膜や、アルキルチオール等のイオン透過選択制を有する単分子膜、酸素格子欠陥膜などである。
【００２７】
また、データを記録する記録媒体および記録装置としては、フロッピーディスク、ＭＯ、ＤＶＤなどの、磁気、光磁気、光ディスクや、メモリカードおよびそれらの記録装置が有効である。これらはこのうちフロッピーディスク以外は記録容量が大きく、計測日時ごとの被検査者のデータや被検査者ごとの蓄積できる。そして、これらのデータをパスワードによりアクセスを制限できるものであれば、プライバシー保護の観点から好ましい。
【００２８】
特にメモリカードは記録装置にセットしやすく、記録速度が早く操作性、携帯性に優れているため、お年寄り等が扱いやすく、そのため安全確実に医師等の専門的な判定が行える管理者に譲渡しやすい。
【００２９】
また、正常値と比較する演算部を有し、被検査者のデータが正常値とおよそ異なる場合、被検査者のデータが正常値とおよそ異なることと、さらに被検査者のデータを記録した記録媒体を専門的な判定が行える管理者に譲渡することを、演算部が表示部に表示させる場合、表示部として、ＬＥＤの他、液晶ディスプレイ、有機ＥＬディスプレイ等が有効である。特に液晶ディスプレイと有機ＥＬディスプレイの場合、被検査者のデータが正常値とおよそ異なる場合、被検査者のデータが正常値とおよそ異なることと、さらに被検査者のデータを記録した記録媒体を専門的な判定が行える管理者に譲渡することを言葉として表示するだけでなく、それらのデータを表示できるので好ましい。
【００３０】
また、これらの医療機器を専門的な判定が行える管理者のいる施設以外で使用してもよい。例えば、自宅や会社だけでなく、出張や旅行あるいは移動中車内等でもよい。また、これらの医療機器を自らが操作してもかまわない。また、これらの医療機器の大きさは携帯可能なレベルであることが好ましい。例えばおよそ携帯電話サイズである。以上のことを行うといつでもどこでも測定か可能になる。
【００３１】
さらに、これらのデータが蓄積された記録媒体を通信機器に読み込ませて、通信により専門的な判定が行える管理者に譲渡する場合、この通信機器としてインターネットに接続されたパソコンや、携帯電話等がある。以上のことを行うといつでもどこでも専門的な判定が行える管理者にそのデータを譲渡し、そのデータにより専門的な判定を行うことが可能になる。
【００３２】
（実施例１）
本発明の医療システムの実施例として、設置型婦人体調測定医療システムについて図１で説明する。
【００３３】
１は設置型婦人体調測定医療機器で、電気信号を測定する電気計測部２、そのデータを時系列に処理し判定するデータ処理部３、その処理されたデータをメモリカード４に記録する記録装置５を有する。電気計測部２には測定毎に交換式測定電極６があり、この部分に投入口７から尿８を投入し接触させることで、尿中のエストラジオールグルクロニドとプロゲナンジオールグルクロニドの濃度が電気信号として電気計測部のデータ処理部３へ送られ、それぞれの濃度が決定されるとともに、そのデータに異常がないかがチェックされる。８は入力可能なタッチパネル式液晶ディスプレイで、測定されたの濃度が、過去のデータも含めて時系列で表示したり、異常の場合にその内容を表示する。実際に３人の女性の検査者Ａ，Ｂ、Ｃに病院にて１週間の間、毎朝使用してもらい、その後そのデータをメモリカード４に記録し、それを受付を通じて担当医に渡し、担当医がそのデータより、女性検査者Ａ，Ｂ，Ｃを診断した。測定されたエストラジオールグルクロニドとプロゲナンジオールグルクロニドの濃度の測定データより診断の結果、検査者Ａはあと６日後に排卵日であることがわかった。また検査者Ｂはすでに妊娠している可能性がわかり、別の精密検査の結果妊娠２ヶ月であることがわかった。また、検査者Ｃはいずれにもあたらず、上記測定とは別の精密検査を行うことで、子宮に異常があることが判明し、早期治療により大事に至らなかった。
【００３４】
なおこの場合、測定場所は病院内の診療室もしくは測定室内とは限らない。例えば女性トイレ等に医療機器１を設置もしくは組み込めれば、受診手続きを取ることなく、待ち時間なしで簡単に測定することができる。
【００３５】
（比較例１）
実施例１の記録データをメモリカード４に記録する記録装置５を有しないこと以外同じ婦人体調測定医療機器を用いて、実施例１と同じく女性検査者Ａ，Ｂ，Ｃに病院にて１週間の間、毎朝使用してもらった。検査者Ａはデータを液晶ディスプレイから読みとり、これを自ら整理して受付を通じて担当医に渡し、担当医がそのデータより、検査者Ａはあと６日後に排卵日であることがわかった。一方Ｂはデータの処理方法かが理解できなかったため、病院の婦人体調測定医療機器管理者に測定、データ整理してもらい、担当医がそのデータより、検査者Ｂはすでに妊娠２ヶ月であることがわかった。さらにＣはデータの読みとり、転記ミスにより、担当医がそのデータより、検査者Ｃを診断することができず、結果として診断をやり直して、子宮に異常があることが判明が遅れた。
【００３６】
以上のことを考慮するとこの場合、測定場所は病院内の診療室もしくは測定室内の方が好ましいと考えられ、さらに受診手続きをとり、婦人体調測定医療機器管理者に測定を行ってもらう必要がある。
【００３７】
（比較例２）
実施例１の記録データをメモリカード４に記録する記録装置５の代わりに、そのデータを検査者のＩＤ番号をつけて通信により担当医のコンピュータにデータを転送する装置を有すること以外同じ婦人体調測定医療機器を用いて、実施例１と同じく女性検査者Ａ，Ｂ，Ｃに病院にて１週間の間、毎朝使用してもらった。検査者Ａ，Ｃは実施例１と同じように簡単に診断することができたが、検査者Ｂのある日のデータがＩＤ番号間違いにより、他人のデータとして転送されてしまい、検査者Ｂを診断することができなかった。
【００３８】
以上のことを考慮するとこの場合、実施例１と同じく測定場所は病院内の診療室もしくは測定室内とは限らない。例えば女性トイレ等に医療機器１を設置もしくは組み込めば、受診手続きを取ることなく測定することができるが、ＩＤ番号入力等の操作をする必要があり、手間取り順番待ち等の可能性がある。
【００３９】
以上の実施例および比較例から明らかなように、本発明の医療システムが優れていることがわかる。
【００４０】
（実施例２）
次に本発明の医療システムの実施例として、携帯型婦人体調測定医療システムについて図２で説明する。
【００４１】
１１は携帯型婦人体調測定医療機器で、電気信号を測定する電気計測部１２、そのデータを時系列に処理し判定するデータ処理部１３、その処理されたデータをメモリカード１４に記録する記録装置１５を有する。電気計測部１２には測定毎に交換可能する測定電極１６があり、この部分に尿を接触させることで、尿中のエストラジオールグルクロニドとプロゲナンジオールグルクロニドの濃度が電気信号として電気計測部のデータ処理部１３へ送られ、それぞれの濃度が決定されるとともに、そのデータに異常がないかがチェックされる。１７は液晶ディスプレイで、測定されたエストラジオールグルクロニドとプロゲナンジオールグルクロニドの濃度が、過去のデータも含めて時系列で表示したり、異常の場合にその内容を表示する。実際に２人の女性検査者Ｄ，Ｅに自宅にて３ヶ月の間、毎朝使用してもらい、その後そのデータをメモリカード１４に記録した。検査者Ｄは使用開始後２２日目に液晶ディスプレイ１７に排卵日であることが表示され、その後およそ２８日ごとに液晶ディスプレイ１７にエストラジオールグルクロニドとプロゲナンジオールグルクロニドの濃度曲線が１周期曲線になっていること、排卵日であることが表示され、検査者Ｄが健康であることがわかった。また、検査者Ｅは使用開始後１２日目に液晶ディスプレイ１７に排卵日であることが表示されたが、その後２８日後で、その表示がされず、エストラジオールグルクロニドとプロゲナンジオールグルクロニドの濃度曲線が周期曲線になっておらず、２９日後に異常であることと、さらにそのデータを記録したメモリカードを専門的な判定が行えるを医者に譲渡することが表示された。このことから検査者Ｅはメモリカード１４を持参して病院に行き、医者にメモリカード１４を譲渡して、そのデータを踏まえて診断してもらったところ、子宮に異常があることが判明し、早期治療により大事に至らなかった。
【００４２】
（実施例３）
実施例２の携帯型婦人体調測定医療機器１１を、女性検査者Ｆに６ヶ月の間、毎朝使用してもらい、その後そのデータをメモリカード１４に記録した。検査者Ｆは使用開始後１５日目に液晶ディスプレイ１７に排卵日であることが表示され、その後およそ２８日ごとに液晶ディスプレイ１７にエストラジオールとエストロゲンとプロゲストロンの濃度曲線が１周期曲線になっていること、排卵日であることが表示された。使用開始後５０日に、携帯型婦人体調測定医療機器１１をもって旅行に行き、旅先でも測定していたが、旅行開始３日目（使用開始後５２日後）にエストラジオールグルクロニドとプロゲナンジオールグルクロニドの濃度曲線が周期曲線になっておらず、異常であることと、さらにそのデータを記録したメモリカードを専門的な判定が行えるを医者に譲渡することが表示された。このことから検査者Ｅはメモリカード１４を携帯電話を接続したＰＤＡに装着し、そのデータを担当医に送信した。その後、担当医がそのデータから、精密検査の必要を判断し、携帯電話で検査者Ｆに病院に来るように連絡した。その結果検査者Ｆは旅行を取りやめ、病院に行き、精密検査を受けたところ、子宮に異常があることが判明し、早期治療により大事に至らなかった。
【００４３】
以上の実施例から明らかなように、本発明の医療システムは検査者自らが簡単に、いつでもどこでも体調管理できるシステムである。
【００４４】
【発明の効果】
本発明の医療システムは、少なくとも検体中の被測定物量に応じた電気信号を測定する電気計測部とそのデータを記録媒体に記録する記録装置を有する医療機器を、被検査者に使用することにより得られた被検査者のデータを記録した記録媒体を通じて、専門的な判定が行える管理者にそのデータを譲渡し、そのデータにより専門的な判定を行うものである。
【００４５】
このシステムにすると、測定者が被検査者のデータ等を測定しそれを医師等の専門家に判断してもらうのに、測定者自らがそのデータを記録することがないので、記録ミスすることなくそのデータを医師等の専門家に譲渡することができ、それ故、それらのデータ等を正確に判断し被検査者の誤診を防ぐことができる。
【００４６】
その結果、検査者自らが簡単に、いつでもどこでも体調管理できるシステムであり、提供できることから本発明の効果は絶大である。
【図面の簡単な説明】
【図１】実施例１を説明する図
【図２】実施例２を説明する図
【符号の説明】
１　設置型婦人体調測定医療機器
２　電気計測部
３　データ処理部
４　メモリカード
５　記録装置
６　交換式測定電極
７　尿投入口
８　尿
９　タッチパネル式液晶ディスプレイ
１１　設置型婦人体調測定医療機器
１２　電気計測部
１３　データ処理部
１４　メモリカード
１５　記録装置
１６　交換式測定電極
１７　液晶ディスプレイ
【図１】
2004097675.tif 000003
【図２】
2004097675.tif 000004